(57)【要約】      （修正有）【課題】ユーザの建物において光ファイバを格納するためのモジュールを提供する。【解決手段】ファイバ供給スプールが、建物における配線のための一定の長さのファイバを格納するための、少なくとも１つの巻回区画を有する。スプール板２４が、供給スプール２６を回転するための保持フィンガを有する基部と、基部から延伸する２つのアームの端部の間に支持されるヒンジ・ピンとを有する。細長いアダプタ板２４が、建物の乾式壁内に切り込まれている開口の上に締結するように構成される。アダプタ板は、旋回運動のためにヒンジ・ピンをスプール板に着座させるための少なくとも１つのヒンジ・マウントを含む。スプール板は、取り付けられているスプール２６とともに、アダプタ板に対して、ファイバが建物における配線のためにスプールから解かれる位置と、ファイバが残った状態のスプールが、乾式壁の裏に格納されるように開口に通される位置との間で旋回できる。【選択図】図１
2019056906.tif 000002
【特許請求の範囲】
【請求項１】
ユーザの建物において一定の長さの光ファイバを格納するためのモジュールであって、
中空円筒ハブと、前記ハブの軸方向上端から半径方向外向きに延伸するファイバ保持イヤーの第１のセットと、前記ハブの軸方向下端から半径方向外向きに延伸するファイバ保持イヤーの第２のセットとを含み、前記保持イヤーのセットは、前記建物における配線のための一定の長さの光ファイバを格納するための、スプールの少なくとも１つの巻回区画を形成する、ファイバ供給スプールと、
実質的に平坦な基部と、前記ファイバ供給スプールの前記ハブに係合するために前記基部から上向きに延伸する複数のスプール保持フィンガとを有するスプール板であって、前記スプールハブが前記保持フィンガの上で中心合わせされ、前記スプール板の前記基部に向かって特定の距離だけ推進されるときに、前記スプールが前記保持フィンガを中心として回転するように取り付けられ、
前記基部から延伸する２つのアームを含むヒンジ・ピン部分をも有し、ヒンジ・ピンは、前記アームの遠位端の間に支持される、スプール板と、
前記建物の乾式壁に締結するように形成および構成されている細長いアダプタ板であって、前記アダプタ板は、前記ヒンジ・ピンを前記スプール板の前記ヒンジ部分に着座させるためのナックルを有する少なくとも１つのヒンジ・マウントを含むことで、前記スプール板および前記スプール板に取り付けられている前記スプールは、前記アダプタ板に対して旋回運動するように取り付けられる、細長いアダプタ板と
を備え、
前記スプール板および前記スプール板に取り付けられている前記スプールは、前記アダプタ板に対して、前記スプールで供給される光ファイバが前記建物の所望の経路を介した配線のために前記スプールから解かれる第１の位置と、前記スプールが、前記建物において前記ファイバが配線された後に一定の長さのファイバが前記スプールに残った状態で、前記乾式壁の裏に格納されるように、前記スプール板および前記スプールが前記建物の乾式壁内の特定の寸法の開口に通され、前記アダプタ板が前記乾式壁に締結される第２の位置との間で旋回することができる、モジュール。
【請求項２】
前記スプール板の前記基部から延伸する前記アームは、前記基部と同一平面上にある、請求項１に記載のモジュール。
【請求項３】
前記アームは互いに平行である、請求項２に記載のモジュール。
【請求項４】
前記アダプタ板は、コネクタ・アダプタを固定するためのアダプタ取り付けフレームを有する、請求項１に記載のモジュール。
【請求項５】
前記モジュールは、前記スプールが前記乾式壁の裏に格納された後に、前記乾式壁内の前記開口を被覆するような寸法にされ、そのように構成されているカバーを含み、前記アダプタ取り付けフレームは、前記カバーが取り外されているときに、ユーザが前記アダプタの一端にアクセスすることができるようにするために、垂直から約２０度の角度で前記コネクタ・アダプタを固定するように形成されている、請求項４に記載のモジュール。
【請求項６】
前記アダプタ板は、前記アダプタ板の長さに沿って、前記アダプタ板の両側に形成されている２つのヒンジ・マウントを有する、請求項１に記載のモジュール。
【請求項７】
前記アダプタ板は、前記アダプタ板の長さに沿って形成されているスプライス・ホルダを有する、請求項１に記載のモジュール。
【請求項８】
前記スプールは、その外周が、前記スプールハブの内周に同軸に接合されている、環状支持ディスクと、その上周において前記支持ディスクの内周に接合されている円筒カラーと、前記支持ディスクの前記内周から半径方向内向きに突出しているリムとを含む、請求項１に記載のモジュール。
【請求項９】
前記スプール保持フィンガは、第１の対の保持フィンガおよび第２の対の保持フィンガを含み、保持フィンガの各対は、互いに直径方向に対向している、請求項８に記載のモジュール。
【請求項１０】
前記第１の対の保持フィンガは、前記スプール板の前記基部の上方に一定の高さに隆起し、前記第２の対の保持フィンガは、前記第１の対の保持フィンガの高さよりも低い高さまで隆起し、前記保持フィンガの各々は、前記フィンガの上部において半径方向外向きに突出するリップを有し、前記リップは、前記スプールハブが前記スプール板の前記基部に向かって特定の距離だけ、前記保持フィンガの上で下げられるときに、前記スプールが前記保持フィンガを中心として円滑に回転するように、協働して、前記スプールハブの内部の前記環状ディスクの前記内周を捕捉する、請求項９に記載のモジュール。
【請求項１１】
前記スプール板の前記基部は、前記保持フィンガを中心として同軸に配列されている、等角度に離間されている複数のボスを有し、前記スプールの前記ハブは、前記ハブの下部に形成されている対応する数の切り欠きを有し、それによって、前記スプールは、前記スプール板の前記基部上の前記ボスが前記ハブ内の前記切り欠きに入るロック位置まで前記ハブが下げられると、前記保持フィンガを中心として回転しないようにロックされる、請求項１０に記載のモジュール。
【請求項１２】
前記第２の対の保持フィンガの上部にある前記リップは、前記ハブが前記ロック位置にあるときに、前記スプールの前記ハブの内部の前記環状支持ディスクの前記内周の上で半径方向外向きに分散し、それによって、前記スプールが、前記保持フィンガ上で上向きに動くことが防止される、請求項１１に記載のモジュール。
【請求項１３】
前記カバーは、ファイバ・ジャンパが前記モジュールおよび前記建物の光学デバイスとの間に接続された後に、一定の余長の前記ファイバ・ジャンパを管理および格納するために、前記カバーの背面の上に配列される複数のリテーナを有する、請求項５に記載のモジュール。
【請求項１４】
前記カバーは、前記アダプタ板内の対応するスロットに係合するために、前記カバーの背面から突出するタブを有し、それによって、前記カバーは、前記アダプタ板が前記乾式壁に締結されているときに、前記乾式壁内の前記開口の上に保持することができる、請求項５に記載のモジュール。
【請求項１５】
前記カバーは、前記カバーの裏側から突出するリップを有し、前記リップ内に切り欠きが形成されており、前記切り欠きは、前記乾式壁の前記外面に沿って配線されるファイバまたはファイバ・ジャンパが、前記モジュールが前記乾式壁の裏に設置され、前記カバーが前記乾式壁内の前記開口の上に締結された後に、前記モジュールへと、および、前記モジュールから通過するための隙間を提供するような寸法にされている、請求項５に記載のモジュール。
【発明の詳細な説明】
【技術分野】
【０００１】
関連出願の相互参照
本出願は、米国特許法第１１９条（ｅ）項に基づいて、２０１７年９月２１日に出願された米国仮特許出願第６２／５６１，３５２号、および、２０１７年１０月５日に出願された米国仮特許出願第６２／５６８，５３５号の優先権を主張し、両出願はその全体が参照により本明細書に組み込まれる。
【０００２】
本発明は、光ファイバ・ネットワークのユーザの建物の内部の光ファイバを格納するためのモジュールに関する。
【背景技術】
【０００３】
光ファイバ・ネットワークのユーザの建物に一般的なファイバ・トゥ・ザ・ホーム（ＦＴＴＨ）を設置している間、ドロップ・ファイバは、建物の居住者の視界から可能な限り隠される経路を介して配線される。例えば、ファイバは、天井付近のクラウン・モールディングおよび／または床付近の幅木にステープル留めされるか、または、接着剤を用いて接合され得る。この経路は、一端にある、ファイバがプロバイダのネットワーク端末に接続されている建物の入口点から、他端にある、建物内部で壁上に取り付けられているモジュールへと延伸する。ファイバの任意の残りのまたは「余分な」長さはモジュールの内部に、および、建物に配線されたときにそこからファイバが最初に供給され、解かれている同じスプール上に格納される。
【０００４】
スプール上に格納されているファイバの端部は、コネクタ内で終端され、コネクタはまた、モジュールの内部に格納されるコネクタ・アダプタの一方の側に結合される。アダプタの他方の側は、外部に露出され、ファイバ・ジャンパ・ケーブルが、一端においてアダプタに接続される。ジャンパ・ケーブルの他端は、一般的に、建物において机または棚の上に配置することができる光ネットワーク端末（ＯＮＴ）に接続される。２０１７年９月２２日に出願された、本出願の譲受人に譲受される米国特許出願公開第１５／７１２，７５４号は、壁に取り付けることができるか、または、ユーザの建物の棚に配置することができるファイバ格納モジュールを開示している。参照により本明細書に組み込まれる、米国特許第８，８１８，１５７号（２０１４年８月２６日）も参照されたい。
【０００５】
ＯＮＴは、ネットワーク・プロバイダから発信され、ネットワーク端末からドロップ・ファイバおよびジャンパ・ケーブルを通じて送信される下りリンク光信号を、ＯＮＴの出力において提供される対応する電気信号に変換するように動作する。ワイヤ・ケーブルが、一端においてＯＮＴ出力に接続され、他端において、例えば、テレビ、および／または、建物の他の電子デバイスを光ファイバ・ネットワークと連結するように構成されたルータに接続される。ＯＮＴはまた、電子デバイスから発信される電気信号を、対応する上りリンク光信号に変換し、ＯＮＴは、ネットワーク・プロバイダに送信するために、ジャンパ・ケーブルおよびドロップ・ファイバを通じてこの信号をネットワーク端末に送信する。
【０００６】
上述したような一般的なＦＴＴＨ設置は良好に動作し、広範に配備されているが、設置する者は、壁にモジュールを取り付けることなく設置を完了することが可能であるように所望するようになってきている。消費者もまた、完了したときに、設置したものが建物の居住者に視覚的な悪影響を及ぼさないように、モジュールを排除することを選好する。
【０００７】
米国特許第６，２４３，５２６号（２００１年６月５日）および米国特許第５，７６１，３６８号（１９９８年６月２日）は、光ファイバのための格納スプール・アセンブリに関する。ユーザの建物において壁の裏に配線される光ファイバの余長は、壁の正面に取り付けられる面板の後ろに固定されるスプールに格納される。ファイバは、面板の正面からアクセス可能なコネクタに結合される。しかしながら、スプールは、建物の壁または壁モールディングの露出面に沿って配線される余分な長さのファイバを格納するためにアクセス可能ではない。したがって、ファイバがユーザの建物の壁または他の露出面に沿って配線された後に、ファイバの余長を格納し、ファイバが建物の光学デバイスに接続されることを可能にし、建物において通常、居住者の視界の外にあるファイバ格納モジュールが必要とされている。
【先行技術文献】
【特許文献】
【０００８】
【特許文献１】米国特許出願公開第１５／７１２，７５４号
【特許文献２】米国特許第８，８１８，１５７号
【特許文献３】米国特許第６，２４３，５２６号
【特許文献４】米国特許第５，７６１，３６８号
【発明の概要】
【０００９】
本発明によれば、ユーザの建物において一定の長さの光ファイバを格納するためのモジュールは、中空円筒ハブ（ｈｏｌｌｏｗ  ｃｙｌｉｎｄｒｉｃａｌ  ｈｕｂ）と、ハブの軸方向上端から半径方向外向きに延伸するファイバ保持イヤー（ｆｉｂｅｒ  ｒｅｔａｉｎｉｎｇ  ｅａｒ）の第１のセットと、ハブの軸方向下端から半径方向外向きに延伸するファイバ保持イヤーの第２のセットとを有するファイバ供給スプール（ｆｉｂｅｒ  ｓｕｐｐｌｙ  ｓｐｏｏｌ）を含む。保持イヤーの２つのセットは、建物における配線のための一定の長さの光ファイバを格納するための、スプール上の少なくとも１つの巻回区画を形成する。
【００１０】
スプール板（ｓｐｏｏｌ  ｐｌａｔｅ）は、基部と、供給スプールのハブに係合するために基部から上向きに延伸する複数のスプール保持フィンガを有し、それによって、スプールハブが保持フィンガの上で中心合わせされ、スプール板の基部に向かって特定の距離だけ推進されるときに、スプールが保持フィンガを中心として回転することができる。スプール板はまた、基部から延伸するアームを含むヒンジ・ピン部分をも有し、ヒンジ・ピンは、アームの遠位端の間に支持される。
【００１１】
細長いアダプタ板（ｅｌｏｎｇａｔｅｄ  ａｄａｐｔｅｒ  ｐｌａｔｅ）が、建物の乾式壁に締結するように形成および構成される。アダプタ板は、ヒンジ・ピンをスプール板に着座させるための少なくとも１つのヒンジ・マウントを含む。したがって、スプールを取り付けられたスプール板は、アダプタ板に対して、スプールで供給される光ファイバが建物の所望の経路を介した配線のために解かれる位置と、スプールが、建物における配線後に一定の長さのファイバがスプールに残った状態で、乾式壁の裏に格納されるように、スプール板および取り付けられているスプールが建物の乾式壁内の開口に通され、アダプタ板が開口の上で締結される位置との間で旋回することができる。
【００１２】
本発明をより良好に理解するために、添付の図面および添付の特許請求の範囲とともに取り上げられる、以下の説明が参照される。
【図面の簡単な説明】
【００１３】
【図１】本発明によるファイバ・スプール・モジュールの第１の実施形態の組み立て図である。
【図２】本発明によるファイバ・スプール・モジュールの第２の実施形態の組み立て図である。
【図３】図１のアダプタ板の拡大図である。
【図４】図２のアダプタ板の拡大図である。
【図５Ａ】図１および図２の本発明のモジュールのカバーの正面図である。
【図５Ｂ】図５Ａのカバーの背面図である。
【図６Ａ】本発明による、スプール板の基部から延伸するスプール保持フィンガの対およびヒンジ・ピンを示す、スプール板の図である。
【図６Ｂ】基部の反対側から見た、図６Ａのスプール板の図である。
【図７Ａ】本発明のモジュールに使用するためのファイバ供給スプールの第１の変形形態の図である。
【図７Ｂ】本発明のモジュールに使用するためのファイバ供給スプールの第２の変形形態の図である。
【図８】図７Ｂのスプールの断面図である。
【発明を実施するための形態】
【００１４】
図１は、本発明によるファイバ・スプール・モジュール１０の第１の実施形態を示し、図２は、本発明によるファイバ・スプール・モジュール１２の第２の実施形態を示す。モジュール１０、１２は両方とも、光ファイバ・ネットワークのユーザの建物の乾式壁１４の裏に設置するように構築および構成されており、それによって、設置されたモジュールが建物の居住者に及ぼす視覚的な悪影響は、あったとしてもわずかである。
【００１５】
別途記述しない限り、モジュール１０、１２の構成要素に関して本明細書において記述されるすべての寸法および角度は近似であり、例示に過ぎず、本発明の範囲を限定するようには意図されていない。
【００１６】
モジュール１０は、乾式壁１４の裏に延伸する標準的な便利箱１６の内部に収容されるように構築されている。箱１６は、乾式壁１４内に切り込まれており、寸法が例えば３．５０インチ×２．００インチである矩形の開口１８内に嵌合する。モジュール１２は、開口１８を通過し、便利箱１６のない乾式壁１４の裏に延伸するような寸法にされ、そのように構成されている。
【００１７】
モジュール１０は、アダプタ板２０と、カバー２２と、アダプタ板２４にヒンジ留めされているスプール板２４と、アダプタ板２０で支持されているコネクタ・アダプタ２７（例えば、ＳＣＡ型）とを含む。ＳＣＡ型コネクタの寸法はＳＣコネクタと同じであるが、別のＳＣＡコネクタと結合されるときに導入される損失を少なくするように、端面に傾斜がつけられていることに留意されたい。
【００１８】
モジュール１２は、カバー２２と、スプール板２４と、スプール２６と、コネクタ・アダプタ２７と、異なるアダプタ板２８とを含む。図１および図２に見られるように、アダプタ板２０、２８は、乾式壁１４内の開口１８を通じて挿入されるように向けられ、板２０、２８がスプール板２４とともに組み立てられた後、後述するように、スプール２６、アダプタ２７、および、スプール２６上の一定の余長のファイバが終端される。
【００１９】
図３は、アダプタ板２０の拡大図である。板２０は、概して細長く、透明なＡＢＳ／ＰＣ混合物、または、ＲｏＨＳに準拠する等価な材料から形成されてもよい。アダプタ板２０は、カバー２２（図５Ｂ参照）の内面から突出する、対応するタブ５９ａ、５９ｂを受け入れ、捕捉するように形成されている一対のキー・スロット（ｋｅｙｅｄ  ｓｌｏｔ）３０、３２を有し、それによって、カバー２２は、板が乾式壁１４内の開口１８にわたって固定されるときに、アダプタ板２０の上で適所に嵌合することができる。アダプタ２７を支持するのに加えて、アダプタ板２０は、２つの４０ｍｍ長スプライス・スリーブを受け入れるように構成され、また、アダプタ板２０が乾式壁１４に締結され、カバー２２がアダプタ板２０および乾式壁内の開口１８の上に固定されたときに、スプール２６に巻回された一定の余長のファイバ（例えば、外径９００μｍ）がカバー２２の上縁または下縁から出ることを可能にするように構成されている。
【００２０】
具体的には、アダプタ板２０は、図３に見られるように、板の上端および下端から突出する短いタブ３４を含め、全体で例えば４．７０６インチの高さを有してもよい。タブ３４は、カバー２２がアダプタ板２０の上に固定されると、カバー２２の上縁および下縁の対応する切り欠き内に着座する。
【００２１】
第１の対の開放端スロット（ｏｐｅｎ  ｅｎｄｅｄ  ｓｌｏｔ）３６が、アダプタ板２０の上端および下端付近に形成される。スロット３６は、例えば、４．０３０インチだけ離間されており、それによって、アダプタ板２０は壁開口１８の上方および下方でねじによって乾式壁１４に締結することができる。
【００２２】
第２の対の開放端スロット３８も、アダプタ板２０の長さに沿って形成され、スロット３８は、例えば、３．３００インチだけ離間されている。それゆえ、カバー２２内に形成される開口（図５参照）を通じて２つのねじを挿入し、ねじをアダプタ板２０内のスロット３８に通し、便利箱１６内に形成されている対応する開口内にねじをねじ込むことによって、カバー２２を便利箱１６に直接的に締結することができる。
【００２３】
２つの４０ｍｍスプライス・スリーブを受け入れ、格納するために、細長いスプライス・ホルダ（ｓｐｌｉｃｅ  ｈｏｌｄｅｒ）４０が、アダプタ板２０の長さに沿った中間に形成される。ホルダ４０は、長さが約１．５４８インチであり、高さが０．２９３インチの連続した平坦な垂直壁４０ａ、および、壁４０ａに平行に配列され、壁から約０．１０６インチ離間されている一連の６つの均等に離間された保持フィンガ４０ｂによって形成される。
【００２４】
図１および図２に示すように、コネクタ・アダプタ２７を固定するために、アダプタ取り付けフレーム（ａｄａｐｔｅｒ  ｍｏｕｎｔｉｎｇ  ｆｒａｍｅ）４２も、アダプタ板２０の長さに沿った中間に、スプライス・ホルダ４０に隣接して形成される。フレーム４２は、例えば、板２０の基部から、基部に対して１１０度の角度で延伸する０．６９９インチの壁４６によって形成される。アダプタ２７を受け入れるために、矩形開口４８が壁４６の中に形成され、開口４８は、壁４６がアダプタを所望の向きにおいてしっかりと固定するような寸法にされる。
【００２５】
２つのスプール板ヒンジ・マウント４４ａ、４４ｂも、アダプタ板２０の長さに沿った中間に、板の両側で形成される。マウント４４ａ、４４ｂの各々が、細長いヒンジ・ナックル５０ａ、５０ｂを形成し、各ナックルの軸は、板２０の基部の上方約０．６００インチのところにある。
【００２６】
図４は、アダプタ板２８の拡大図である。アダプタ板２０の対応する部品と同じであるアダプタ板２８の部品または特徴部は、同じ参照符号にアポストロフィを付して識別される。アダプタ板２０と同様に、アダプタ板２８は概して細長く、板２８の上端および下端にタブ３４’を含む。
【００２７】
第１の対の開放端スロット３６’が、アダプタ板２８の上端および下端付近に形成される。スロット３６’は、例えば、４．０３０インチだけ離間されており、それによって、アダプタ板２８は図２の壁切り欠き１８の上方および下方でねじによって乾式壁１４に締結することができる。
【００２８】
一対の円筒スリーブまたはボス３９が、アダプタ板２８内の開放端スロット３６’に隣接して固定されている。ボス３９は、例えば、高さが０．５００インチであり、アダプタ板２８で３．３００インチ離間されている。したがって、カバー２２内の２つの開口（図５参照）を通じてねじを挿入し、板２８上のボス３９内にねじをねじ込むことによって、カバー２２をアダプタ板２８に直接的に締結することができる。ボス３９はまた、ねじが、ねじの近傍にある任意のファイバと接触するのを防止する。アダプタ板２８はまた、２つの４０ｍｍ長スプライス・スリーブを受け入れるように構成され、また、カバーがアダプタ板２８に固定されたときに、スプール２６に巻回された一定の余長のファイバ（例えば、外径９００μｍ）がカバー２２の上縁または下縁から出ることを可能にするように構成されている。
【００２９】
図５Ａは、矩形カバー２２を正面から見た図であり、図５Ｂは、背面から見たカバー２２を示す。カバー２２もまた、ＰＣ／ＡＢＳ混合物または等価なＲｏＨＳ準拠材料から作成される。２つの垂直に位置整合した開口５０、５２がカバー２２の正面を通じて形成され、開口５０、５２は、互いから例えば３．３００インチ離間されている。それゆえ、カバー２２がアダプタ板２０、２８のいずれかの上に配置されると、開口５０、５２は、アダプタ板２０内に形成されているスロット３８またはアダプタ板２８上のボス３９と一致する。
【００３０】
それゆえ、図１にあるようにカバー開口５０、５２をアダプタ板２０内のスロット３８と位置整合させ、カバー内の開口およびアダプタ板２０内のスロットを通じてねじを挿入し、ねじを便利箱１６内へとねじ込むことによって、カバー２２を便利箱１６に直接的に締結することができる。便利箱がないとき、図２にあるようにカバー開口５０、５２をアダプタ板２８上のボス３９と位置整合させ、カバー開口を通じてねじを挿入し、ねじをアダプタ板２８上のボス３９内へとねじ込むことによって、カバー２２をアダプタ板２８に締結することができる。
【００３１】
カバー２２は、裏側からカバーの周縁周りに突出するリップ２３を有する。切り欠き２３ａが、カバー２２の上部においてリップ２３内に形成されており、切り欠き２３ｂもまた、カバーの下部においてリップ内に形成されている。切り欠き２３ａ、２３ｂは、下記に説明するように、モジュールが乾式壁１４の裏に設置され、カバー２２が乾式壁内の開口１８の上に締結された後、乾式壁１４の外面に付着されるファイバまたはジャンパ・ケーブルが、モジュール１０または１２へと、および、モジュール１０または１２から通過するために安全な隙間をもたらすような寸法にされる。
【００３２】
図５Ｂに見られるように、２つの円筒スリーブまたはボス５４、５６が、開口５０、５２と同軸に、カバー２２の裏に形成される。ボスは、図１および図２にあるようにアダプタ板が乾式壁１４に締結され、カバー２２が板の上に配置されるときに、アダプタ板２０、２８のいずれかに突き当たるように、カバー２２の裏面から十分な距離だけ突出する。それゆえ、ボス５４、５６は、開口５０、５２を通じて挿入されるねじが締め付けられて、カバー２２を、図１にあるように便利箱１６に取り付けるか、または、図２にあるようにアダプタ板２８に取り付けるときに、カバー２２が変形するのを防止する。図５Ａに示すように、カバー２２の正面の開口５０、５２は面取りされることが好ましく、各開口の下部にはノックアウトが形成される。
【００３３】
カバー２２の裏はまた、ジャンパ・ケーブルがモジュール１０または１２とＯＮＴまたは建物の他の光学デバイスとの間に接続された後に、一定の余長のファイバ・ジャンパ・ケーブルを管理および格納するために、カバーの背面の上に配列される複数のリテーナ５８をも有する。前述し、図５Ｂに示しているように、一対のタブ５９ａ、５９ｂもまた、カバー２２の裏から突出しており、それによって、カバーのタブ５９ａ、５９ｂをアダプタ板内のキー・スロット３０、３２内に嵌合することによって、カバーをアダプタ板２０に直接的に取り付けることができる。
【００３４】
図６Ａは、図１のスプール板２４を、スプール２６（図７Ａおよび図７Ｂ参照）が回転のために取り付けられる板２４の正面側から見た図である。図６Ｂは、反対側から見たスプール板２４を示す。スプール２４全体は、例えば、ポリプロピレン共重合体またはＲｏＨＳに準拠する等価な材料から作成されてもよい。
【００３５】
スプール板２４は、例えば１．６６８インチの直径を有する部分的に円形の基部６２によって形成される。図６Ａに見られるように、第１の対のスプール保持フィンガ６４および第２の対のスプール保持フィンガ６６はすべて、円周方向に等間隔に離間された配列において、基部６２から隆起している。第１の対の保持フィンガ６４は、例えば、基部６２の上方０．７２７インチの高さに達し、フィンガ６４は、互いに直径方向に対向している。第２の対のスプール保持フィンガ６６は、例えば、基部６２の上方０．６５９インチのより低い高さまで隆起し、フィンガ６６もまた、互いに直径方向に対向している。
【００３６】
スプール保持フィンガ６４の各々は、フィンガの上部から半径方向外向きに突出するリップ６４ａを有し、保持フィンガ６６の各々もまた、フィンガの上部において半径方向外向きに突出するリップ６６ａを有する。スプール２６に関して下記に詳述するように、保持フィンガ上のリップ６４ａおよび６６ａは、協働して、スプールのハブの内部の環状ディスクの内周を捕捉し、それによって、スプールハブが保持フィンガの上で中心合わせされ、スプール板の基部６２に向かって特定の距離だけ推進されるときに、スプールが保持フィンガ６４、６６を中心として円滑に回転することができる。
【００３７】
スプール２６のハブの下部が保持フィンガ６４、６６上の基部６２に向かってさらに下げられると、短い方の対の保持フィンガ６６のリップ６６ａが、ハブの内部の環状ディスクの内周を通過し、リップ６６ａは、ディスクの内周の上で半径方向外向きに分散し、それによって、スプール２６が、保持フィンガで上向きに動くことが防止される。また、スプール板２４の基部６２は、円形アレイの基部から、保持フィンガ６４、６６を中心として同軸に隆起する８つのタブまたはボス６８から成るアレイを有する。後述するように、ボス６８は、スプール２８を、保持フィンガを中心として回転しないようにロックするように、スプールハブの下部内の対応する切り欠きのセットと位置整合し、その中に入る。
【００３８】
スプール板２４はまた、基部６２に付属のヒンジ・ピン部分７０をも有する。ヒンジ部分７０は、基部６２から延伸し、基部６２と同一平面上にある２つの平行なアーム７２ａ、７２ｂと、アーム７２ａ、７２ｂの遠位端の間に支持されるヒンジ・ピン７４とを含む。図１に示すように、スプール板２４は、アダプタ板２０に形成されている２つのヒンジ・マウント４４ａ、４４ｂのヒンジ・ナックル５０ａ、５０ｂのいずれかへとヒンジ・ピン７４を推進することによって、揺動運動のためにアダプタ板２０に取り付けることができる。また、図２に示すように、スプール板２４はまた、アダプタ板２８に形成されている２つのヒンジ・マウント４４ａ’、４４ｂ’のヒンジ・ナックル５０ａ’、５０ｂ’のいずれかへとヒンジ・ピン７４を推進することによって、揺動運動のためにアダプタ板２８に取り付けることができる。
【００３９】
図７Ａは、図１および図２のスプール２６の拡大図である。図７Ｂは、スプール２６の異なる変形形態の拡大図であり、図７Ａのスプール２６の中空円筒ハブ８２から９０度毎に半径方向外向きに延伸する４つの平坦なファイバ保持イヤー８０から成る中間セットが排除されている。
【００４０】
図８は、スプールハブ８２の軸を含む平面における、図７Ｂのスプール２６の断面図である。
【００４１】
図７Ａおよび図７Ｂに示すスプール２６の２つの変形形態において、４つの平坦なファイバ保持イヤー８４から成る第１のセットが、スプールハブ８２の軸方向上端から９０度毎に半径方向外向きに延伸しており、４つの平坦なファイバ保持イヤー８６から成る第２のセットも、ハブ８２の軸方向下端から９０度毎に半径方向外向きに延伸している。図７Ａの変形形態において、第１のセットの保持イヤー８４および中間セットの保持イヤー８０が、スプールハブ８２の上側部分の第１の巻回区画を形成し、第２のセットの保持イヤー８６および中間セットの保持イヤー８０が、ハブ８２の下側部分の第２の巻回区画を画定。
【００４２】
例えば、図７Ａのスプール２６は、ハブ８２の下側部分の第２の巻回区画内に９００μｍの長さの緩衝ファイバを格納することができ、このファイバは、モジュール１０または１２から建物の入口点付近のネットワーク端末へと配線するために繰り出されることになる。同じ９００μｍのファイバが被覆されないままであるか、または、一定の長さの分岐管を通じて外径２．０ｍｍもしくは３．０ｍｍの被覆ファイバへと移行して、図７Ａのスプール２６の上側部分の第１の巻回区画に格納され得る。第１の巻回区画内のファイバは、コネクタ・アダプタ２７を必要とすることなくＯＮＴまたは建物の他の光学デバイスに接続される。ファイバ移行点の分岐管を拘束するために、スプール２６の中間保持イヤー８０のうちの２つに、張力緩和タブを付加することができる。
【００４３】
言及されているように、スプールハブ８２はまた、ハブ壁の下部に形成される８つの凹部または切り欠き８８も有する。切り欠き８８は、互いから等角度に離間されており、スプール板２４の基部６２上の８つのボス６８と位置整合し、これを受け入れるような寸法にされている。したがって、スプール２６は、スプール板の基部６２上のボス６８がハブの下部の切り欠き８８に入る点までスプールハブ８２を下げることによって、保持フィンガ６４、６６を中心として回転しないようにロックすることができる。
【００４４】
また、上述したように、スプール２６は、平坦な環状支持ディスク９０を含み、その外周は、スプールハブ８２の軸方向上端と軸方向下端との間のほぼ中間の位置において、スプールハブ８２の内周に同軸に接合される。円筒カラー９２が、その上周において支持ディスク９０の内周に接合され、リム９４が、支持ディスク９０の内周から半径方向内向きに突出している。カラー９２の下周は、スプールハブ８２の下端と整合する。
【００４５】
設置手順
約３．７５×２．２５インチの矩形開口が、ユーザの光ファイバ・ネットワークに連結されるように、ＯＮＴまたは他の光学デバイス付近で、ユーザの建物の内部に乾式壁１４を通じて切り込まれる。孔のサイズはちょうどスプール２６、および、任意選択的に１つのＳＣＡ−ＳＣＡアダプタまたは１つの４０ｍｍ光ファイバ・フュージョン・スプライス・スリーブを受け入れるのに十分な大きさである。便利箱１６が使用されるか否かに応じて、その後、対応するアダプタ板２０または２８が、２つの乾式壁ねじを使用して矩形開口を介して乾式壁１４に締結され、アダプタ板上のヒンジ・マウント４４ａ、４４ｂ（または４４ａ’、４４ｂ’）は、乾式壁から外方に面する。
【００４６】
スプール２６が、スプール板２４で回転するように取り付けられ、スプール板２４は、スプールに供給されるファイバが建物における配線のために繰り出されるときのスプール２６の所望の向きに応じて、スプール板のヒンジ・ピン７４を左または右いずれかのヒンジ・ナックル４４ａ、４４ｂ（または４４ａ’、４４ｂ’）へと嵌合することによって、アダプタ板２０（または２８）に締結される。
【００４７】
図７Ａのスプール２６が使用される場合、連続した長さの緩衝光ファイバの１回目の伸張をスプールの第２の巻回区画に供給することができ、ファイバの２回目の伸張をスプールの第１の巻回区画に巻回することができる。ファイバの１回目の伸張は、モジュール１０または１２と、建物の入口点付近のネットワーク端末との間に配線される一定の長さの被覆されていない外径９００μｍの緩衝ファイバから成ってもよい。ファイバの２回目の伸張は、被覆されないままであるか、または、例えば外径が２．０もしくは３．０ｍｍの保護被覆を有してもよく、ファイバの２回目の伸張の長さは、モジュール１０または１２とＯＮＴまたは建物の他の光学デバイスとの間に延伸するのに十分である。
【００４８】
ファイバが第１の巻回区画から繰り出された後、スプール２６は、乾式壁１４の裏に格納される準備が整う。スプール板２４は、乾式壁に垂直な位置へと揺動され、それによって、板および取り付けられているスプールは、乾式壁の矩形開口を容易に通過する。
【００４９】
次に、乾式壁１４の矩形開口を介してアダプタ板２０（または２８）を締結する２つのねじが緩められて引き抜かれ、アダプタ板がその長軸を中心として１８０度方向転換される。スプール２６が図７Ａにあるように第１の巻回区画および第２の巻回区画を有する場合、ＯＮＴまたは建物の他の光学デバイスに達するのに十分な被覆ファイバが、第１の巻回区画から解かれる。
【００５０】
スプール２６が図７Ｂにあるように１つのみの巻回区画または層を有する場合、ＳＣＡまたは等価なコネクタ・アダプタ２７がアダプタ板２０または２８でフレーム４６内に、アダプタの下端が外側のジャンパ・ケーブルに接続するためにスプール２６とアダプタ板との間で容易にアクセス可能であるように、取り付けられる。建物における配線のために繰り出された後に巻回区画内に残るファイバの内端が、その後、アダプタ２７の上端に接続される。コネクタ・アダプタ２７は、設置後にカバー２２を取り外すときに、ユーザがアダプタ２７に容易にアクセスできるようにするために、垂直から約２０度の角度でアダプタ板上のフレーム４８内で支持されることが好ましい。
【００５１】
組み立てられたモジュール１０または１２が乾式壁１４の矩形開口１８を通じて挿入され、アダプタ板が再び乾式壁に締結される。アダプタ板を乾式壁に締結するねじが締め付けられると、カバー２２または標準的な便利箱のブランク板が、ねじを用いて便利箱１６またはアダプタ板２８に締結される。
【００５２】
上記は本発明の好ましい実施形態を表しているが、本発明の精神および範囲から逸脱することなく様々な変更、修正、および追加を行うことができること、ならびに、本発明が、添付の特許請求の範囲内にあるすべてのそのような変更、修正、および追加を含むことは、当業者には理解されよう。
【図１】
2019056906.tif 000003
【図２】
2019056906.tif 000004
【図３】
2019056906.tif 000005
【図４】
2019056906.tif 000006
【図５Ａ】
2019056906.tif 000007
【図５Ｂ】
2019056906.tif 000008
【図６Ａ】
2019056906.tif 000009
【図６Ｂ】
2019056906.tif 000010
【図７Ａ】
2019056906.tif 000011
【図７Ｂ】
2019056906.tif 000012
【図８】
2019056906.tif 000013
【外国語明細書】
2019056906.tif 000014
2019056906.tif 000015
2019056906.tif 000016
2019056906.tif 000017
2019056906.tif 000018
2019056906.tif 000019
2019056906.tif 000020
2019056906.tif 000021
2019056906.tif 000022
2019056906.tif 000023
2019056906.tif 000024
2019056906.tif 000025
2019056906.tif 000026
2019056906.tif 000027
2019056906.tif 000028
2019056906.tif 000029
2019056906.tif 000030
2019056906.tif 000031
2019056906.tif 000032
2019056906.tif 000033
2019056906.tif 000034
2019056906.tif 000035
2019056906.tif 000036
2019056906.tif 000037
2019056906.tif 000038
2019056906.tif 000039
2019056906.tif 000040
2019056906.tif 000041
2019056906.tif 000042
2019056906.tif 000043